(57)【要約】【課題】共同住宅における自動火災報知設備およびインターホン設備を複合させた警報監視システムにおいて、住戸内の警報音を住戸外から停止できるシステムを得る。【解決手段】複合盤と複数の住宅情報盤とが一対の伝送線で接続されており、前記複合盤は、警報音停止スイッチの操作入力があるときに、前記伝送線を介して部屋番号を指定した警報音停止信号を送出し、指定された部屋番号の住宅情報盤は、前記伝送線から前記警報音停止信号を受信するときに、警報音の鳴動を停止するものであり、複合盤からの操作によって必要な住戸の住宅情報盤の警報音を停止することが可能である。【選択図】  図１
2004171385.tif 000002
【特許請求の範囲】
【請求項１】
少なくとも複合盤と複数の住宅情報盤とを有する共同住宅警報監視システムにおいて、
前記複合盤は、前記住宅情報盤が警報を発しているときに、該警報音を停止させる警報音停止スイッチを備えていることを特徴とする共同住宅警報監視システム。
【請求項２】
複合盤と複数の住宅情報盤とが一対の伝送線で接続されており、前記複合盤は、警報音停止スイッチの操作入力があるときに、前記伝送線を介して部屋番号を指定した警報音停止信号を送出し、指定された部屋番号の住宅情報盤は、前記伝送線から前記警報音停止信号を受信するときに、警報音の鳴動を停止するものである請求項１の共同住宅警報監視システム。
【請求項３】
部屋番号の指定は、複合盤がセキュリティ監視機能に基づく作動信号を受信している送信元の部屋番号、あるいは、複合盤盤面からの操作入力による部屋番号のいずれかである請求項２の共同住宅警報監視システム。
【請求項４】
各住宅情報盤は、警報音の鳴動中には、前記警報音停止信号の受信後においてインターホン機能の呼出信号を受信するときに、呼出動作を行う請求項１ないし３いずれかの共同住宅警報監視システム。
【発明の詳細な説明】
【０００１】
【産業上の利用分野】
本発明は、共同住宅における自動火災報知設備およびインターホン設備を複合させた警報監視システムに関する。
【０００２】
【従来の技術】
共同住宅では、各住戸と管理室とに住戸機（住宅情報盤）および管理室機からなるインターホン設備が設けられ、各住戸の居住者と管理員との間でインターホンを通じて連絡が取れるようになっている。（例えば、特許文献１を参照）。
【０００３】
【特許文献１】
特開２０００−６９１８１号公報
【０００４】
【発明が解決しようとする課題】
上記のような従来のインターホン設備では、セキュリティ機能として住戸内に異常が発生して警報音を鳴動しているときに、管理室からインターホンで呼出しがあっても、住戸機において警報音が優先され、呼出動作が行えなかった。居住者が在宅の場合には、インターホンによる呼出しよりも、まず異常状態に対処することが優先されるのは、その点において実情に即しているものである。
【０００５】
しかし、警報音の鳴動中において、居住者が在宅であればその警報に対する処置を行い、事後に不要な警報は居住者の操作によって停止されるが、不在のときには警報音を停止する者がいなくなってしまう。住戸外からは警報音の発生している住戸に居住者が居て異常に対処しているところなのか、それとも単に不在なのかは不明であり、警報中は、住戸外からの肉声による呼び掛けにも反応しずらく、近隣住戸の居住者等に認識されて管理員が確認しようとする段階においても、住戸内での警報音停止操作が必要となってしまう。
【０００６】
したがって、共同住宅における自動火災報知設備およびインターホン設備を複合させた警報監視システムにおいて、住戸内の警報音を住戸外から停止できるシステムを得ることを目的とする。
【０００７】
【課題を解決するための手段】
本発明は、少なくとも複合盤と複数の住宅情報盤とを有する共同住宅警報監視システムにおいて、前記複合盤は、前記住宅情報盤が警報を発しているときに、該警報音を停止させる警報音停止スイッチを備えていることを特徴とするものであり、さらには、複合盤と複数の住宅情報盤とが一対の伝送線で接続されており、前記複合盤は、警報音停止スイッチの操作入力があるときに、前記伝送線を介して部屋番号を指定した警報音停止信号を送出し、指定された部屋番号の住宅情報盤は、前記伝送線から前記警報音停止信号を受信するときに、警報音の鳴動を停止するものである。
【０００８】
そして、部屋番号の指定は、複合盤がセキュリティ監視機能に基づく作動信号を受信している送信元の部屋番号、あるいは、複合盤盤面からの操作入力による部屋番号のいずれかであり、また、各住宅情報盤は、警報音の鳴動中には、前記警報音停止信号の受信後においてインターホン機能の呼出信号を受信するときに、呼出動作を行う。
【０００９】
【発明の実施の形態】
以下、本発明を利用する実施の形態について図面を用いて説明する。図１は本発明を利用する共同住宅用警報監視複合システムのシステム系統図、図２および図３は図１に用いられる複合盤、住宅情報盤および集合玄関機についてのブロック構成図である。
【００１０】
図１において、１０は複合盤、２０は集合玄関機、３０は住宅情報盤、５０はドアホン、６１は熱式や煙式等の火災感知器、６２はガス漏れ検知器、６３は防犯スイッチ、６４は非常呼出スイッチ、６５は共用部に設けられる火災感知器、６６は共用部に設けられる防排煙機器等の制御装置、７０は映像アダプタ、Ｌ１は伝送線、Ｌ２は通話線、Ｌ３は映像線、Ｌ４はドアホン５０への通話線、Ｌ５はドアホン５０への制御線、Ｌ６１、Ｌ６２、Ｌ６３、Ｌ６４、Ｌ６５およびＬ６６はそれぞれ信号線である。
【００１１】
複合盤１０は、インターホン設備の通話制御装置としての通話制御機能と、テレビモニタシステムを提供するためのモニタ制御機能と、自動火災報知設備の火災受信機としてのセキュリティ監視機能とを有し、共同住宅の管理室等に設置される。
【００１２】
集合玄関機２０は、共同住宅への訪問者が操作して各住戸を呼出すための装置であって、共同住宅の集合玄関等に設置される。
【００１３】
住宅情報盤３０は、セキュリティ監視機能に必要な、火災感知器６１、ガス漏れ検知器６２、防犯スイッチ６３、非常呼出スイッチ６４等がそれぞれ信号線Ｌ６１、Ｌ６２、Ｌ６３およびＬ６４を介して接続されて各住戸に設置されるとともに、各住宅情報盤３０は伝送線Ｌ１、通話線Ｌ２および映像線Ｌ３を介して複合盤１０に接続されている。
【００１４】
ドアホン５０は、通話線Ｌ４および制御線Ｌ５を介して住宅情報盤３０に接続されて、各住戸の玄関等に設置される。
【００１５】
火災感知器６５は、集合玄関、ホール、廊下、機械室、集会室等の共同住宅の共用部に設けられるものであり、また、制御装置６６は、地区ベル装置、防排煙装置、消火装置等の火災発生時に制御される被制御機器であり、火災感知器６５同様に共同住宅の共用部に設けられるものである。
【００１６】
映像アダプタ７０は、映像線Ｌ３へ接続および切離しを制御するために各住宅情報盤３０に対応する各位置に設置されている。
【００１７】
このような構成によって実現される各種機能について簡単に説明すると、通話制御機能において、複合盤１０が集合玄関機２０から例えば８０１号室の呼出信号を受信すると、複合盤１０は、伝送線Ｌ１を介して呼出信号を８０１号室の住宅情報盤３０に送信し、８０１号室の住宅情報盤３０から応答信号を受信して、集合玄関機２０および８０１号室の住宅情報盤３０に接続信号を送信して、通話線Ｌ２に集合玄関機２０および８０１号室の住宅情報盤３０がそれぞれ接続して、通話線Ｌ２を介して通話路を形成する。
【００１８】
また、映像制御機能において、上記通話制御機能の動作を利用し、接続信号を受信した例えば８０１号室の住宅情報盤３０は、映像アダプタ７０を介して映像線Ｌ３に接続して、集合玄関機２０から送信される映像信号を映像線Ｌ３から受信する信号経路を形成する。
【００１９】
また、セキュリティ監視機能について、ガス漏れ検知器６２、防犯スイッチ６３、非常呼出スイッチ６４等の動作に基づくセキュリティ信号を住宅情報盤３０から複合盤１０が受信すると、複合盤１０は、送信した住宅情報盤３０が設置されている住戸の部屋番号やセキュリティ信号の種別等を表示および警報する。
【００２０】
同様に、セキュリティ監視機能の一部として火災警報制御機能を備え、火災感知器６１の作動に基づき住宅情報盤３０から火災信号を複合盤１０が受信すると、送信した住宅情報盤３０が設置されている部屋番号および火災の旨の表示および警報を行うとともに、複合盤１０から部屋番号を特定した警報信号を送出し、火災発生階とその直上階の住戸に設置されている住宅情報盤３０が警報信号の部屋番号から判別して火災警報を発する。
【００２１】
つぎに、複合盤１０において、１１は監視制御部、１２は表示部、１３は操作部、１４は通話回路、１５は送受話器、１６はスピーカ、１７は映像制御部、１８はテレビモニタ、１９は受信制御部である。
【００２２】
監視制御部１１は、図示しないが、ＣＰＵやメモリを有し、インターホン設備と自動火災報知設備とにおける伝送制御、通話制御、セキュリティ監視制御、火災監視警報制御、遠隔試験制御等を行う。
【００２３】
表示部１２は、インターホン設備と自動火災報知設備とに関係する各種表示灯と、ＬＣＤ等の表示器とを有し、監視制御部１１の制御によって各種表示を行う。
【００２４】
操作部１３は、インターホン設備と自動火災報知設備とに用いられるテンキー等の各種操作スイッチを有する。
【００２５】
通話回路１４は、複合盤１０が設けられる管理室等から管理員がインターホン通話を行うものであり、送受話器１５を有する。
【００２６】
映像制御部１７は、集合玄関機２０からの映像線Ｌ３を介して、映像信号を受信し、各住宅情報盤３０への映像線Ｌ３へその映像信号を送出するモニタ制御を行うとともに、受信した映像信号を複合盤１０盤面のテレビモニタ１８に映出できるようになっている。
【００２７】
また、住宅情報盤３０において、３１は警報受信回路、３３は警報音響回路、３４は通話回路、３５は送受話器、３６は表示部、３７は操作部、３９は制御部、４０はスピーカ、４１は映像回路、４２はテレビモニタ、４３は映像切換制御回路、４４は通話切換回路である。
【００２８】
警報受信回路３１は、火災感知器６１、ガス漏れ検知器６２、防犯スイッチ６３、非常呼出スイッチ６４等が接続されて、それらからの信号入力を監視している。
【００２９】
警報音響回路３３は、各種の警報内容等の音響および音声データを記憶した図示しないメモリ、音声合成回路およびアンプ等を有するものである。
【００３０】
通話回路３４は、住戸内から居住者がインターホン通話を行うものであり、送受話器３５を備えるとともに、通話切換回路４４を介して通話線Ｌ２またはＬ４に接続が行われる。
【００３１】
操作部３７は、詳細に示さないが、管理室（複合盤１０）を呼出す呼出スイッチや集合玄関ドア解錠スイッチ等の各種スイッチを有する。
【００３２】
制御部３９は、詳細に示さないが、ＣＰＵやメモリを有し、伝送線Ｌ１を介して複合盤１０との間で各種伝送制御を行い、住宅情報盤３０全体の監視制御を行う。
【００３３】
映像回路４１は、映像線Ｌ３に送出される映像信号をテレビモニタ４２に映出するものであり、住居内の居住者が集合玄関等に来訪した来客の顔や姿等を確認する。そして、映像回路４１の映像線Ｌ３への接続は、映像線Ｌ３の所定位置にそれぞれ設けられている映像アダプタ７０への切換制御を行う映像切換回路４３からの切換出力による。
【００３４】
また、図２のドアホン５０において、５１は呼出スイッチ、５２はマイク、５３はスピーカ、５４は通電表示灯である。
【００３５】
つぎに、図４によって複合盤１０の表示部１２および操作部１３に関する盤面の一部を説明する。図４は、複合盤１０の盤面のうち、インターホンによる呼出しに関するブロックを示すものであり、その他の自動火災報知設備としての火災表示や音声警報等に関するブロックも、図示しないが存在する。また、盤面としては、ハンドセット、スピーカ孔、ＬＣＤ画面等も存在する。
【００３６】
８１は部屋番号表示部、８２はテンキー、８３はメモリ灯、８４はメモリセットスイッチ、８５はメモリリセットスイッチ、８６は住戸音響停止スイッチ、８７は緊急呼出スイッチ、８８は一斉放送スイッチ、８９は警報復旧スイッチ、９０は呼出スイッチ、９１は取消スイッチ、９２は解錠スイッチ、９３は解錠灯である。
【００３７】
部屋番号表示部８１は、通話相手の部屋番号やその他機能操作時入力された部屋番号を表示するものである。
【００３８】
テンキー８２は、呼出先の部屋番号等、数字入力が必要なときに用いる必要なキー群である。
【００３９】
メモリ灯８３は、いすれかの住宅情報盤３０から呼出しがあり呼出情報が記憶部Ｍに記憶されているときに、呼出情報有りを示す表示灯である。
【００４０】
メモリセットスイッチ８４は、呼出情報が記憶部Ｍに記憶されているときに、呼出情報の部屋番号を部屋番号表示部８１に表示させるためのスイッチであり、複数の呼出情報が記憶されているときには、メモリセットスイッチ８４の再操作によって順送り的に表示される。なお、送受話器１５を取り上げたオフフックの状態で、メモリセットスイッチ８４を操作する場合、部屋番号表示部８１に表示された部屋番号の住宅情報盤３０に複合盤１０から呼出し有りの呼出情報を、住宅情報盤３０側に記憶させることができる。
【００４１】
メモリリセットスイッチ８５は、記憶部Ｍに記憶されている呼出情報の部屋番号を部屋番号表示部８１に表示させた状態で操作するときに、その呼出情報を消去することができるスイッチであり、呼出情報が不要な場合に用いるものである。なお、送受話器１５を取り上げたオフフックの状態で、メモリリセットスイッチ８５を操作する場合、部屋番号表示部８１に表示された部屋番号の住宅情報盤３０にセットした住宅情報盤３０側の呼出情報を消去することができる。
【００４２】
住戸音響停止スイッチ８６は、各住宅情報盤３０のセキュリティ監視の結果として住戸内に異常を警報している場合に、その警報音を停止させるスイッチである。
【００４３】
緊急呼出スイッチ８７は、いずれかの住宅情報盤３０において異常発生時に、複合盤１０から緊急に該当住宅情報盤３０を呼出すときに操作するスイッチであり、通話線Ｌ２が使用中であってもそれを開放してインターホン通話を可能とする。
【００４４】
一斉放送スイッチ８８は、住宅情報盤３０全てに話し掛けるときに用いるスイッチであり、このスイッチ８８を押圧することで、全ての住宅情報盤３０が通話線Ｌ２に接続されて、通話内容を全住戸に流すことができるものである。
【００４５】
警報復旧スイッチ８９は、住宅情報盤３０のセキュリティ機能による警報発生時に、安全を確認してから平常の監視状態に戻すときに操作されるスイッチである。
【００４６】
呼出スイッチ９０は、インターホン通話を行うときに、テンキー８２から部屋番号を入力してから操作することによって、部屋番号表示部８１に表示した部屋番号の住宅情報盤３０を呼出すスイッチである。
【００４７】
取消スイッチ９１は、テンキー８２からの部屋番号入力を誤ったときに、その入力を取り消すためのスイッチであり、部屋番号表示部８１の表示がクリアされて未入力状態に戻るものである。
【００４８】
解錠スイッチ９２は、図示しない集合玄関の扉を遠隔的に開放することができるスイッチであり、この集合玄関の扉は、詳細に説明しないが、オートロックで自動的に鎖錠されるようになっている。
【００４９】
解錠灯９３は、図示しない集合玄関の扉が開放されているときに点灯する表示灯である。
【００５０】
つぎに、上記構成による実施の形態の動作について、説明する。
【００５１】
図５は、図１における複合盤１０に関する動作を概略的に示したフローチャートであり、また、図６は、図１における住宅情報盤に関する動作を概略的に示したフローチャートである。
【００５２】
このシステムの基本的動作として、集合玄関機２０と各住宅情報盤３０との間、複合盤１０と各住宅情報盤３０との間、および、集合玄関機２０と複合盤１０との間における通話制御が行われる。そのうちで、集合玄関機２０からいずれかの住宅情報盤３０を呼び出して通話する場合として説明する。
【００５３】
例えば、３０１号室を訪問する来客が集合玄関に設けられている集合玄関機２０の図示しないテンキーによって「３０１」を入力し、図示しない呼出スイッチを操作すると、集合玄関機２０は、３０１号室の集合玄関機２０からの呼出しに関する呼出信号が伝送線Ｌ１を介して複合盤１０に送信される。また、集合玄関機２０は、図示しないテレビカメラをオンして来客の撮影を開始し、その映像を映像信号として、映像線Ｌ３を介して複合盤１０に送出する。
【００５４】
複合盤１０の監視制御部１１は、呼出信号を受信すると（Ｓ１２）、集合玄関機２０から３０１号室を呼出すことを判別し、３０１号室のアドレスを付加して伝送線Ｌ１に通話制御信号を送信し、また、映像制御部１７を起動させて集合玄関機２０から受信した映像信号を映像線Ｌ３に送出する（Ｓ１３）。
【００５５】
上記通話制御信号を受信した３０１号室の住宅情報盤３０の制御部３９は、受信した通話制御信号から自己への呼出しであることを判別して（Ｓ３２）、スピーカ４０から呼出音を発生し、また、表示部３６に集合玄関からの呼出しを示し、映像回路４１を起動して映像切換回路４３を介して映像アダプタ７０へ切換出力を行う。
【００５６】
この切換出力による映像アダプタ７０の切換接続により、映像回路４１は映像線Ｌ３に接続されて、集合玄関機２０のカメラ機能として図示しないテレビカメラが撮影した映像信号を受信して、テレビモニタ４２へ表示する（Ｓ３３）。
【００５７】
そして、３０１号室の居住者がテレビモニタ４２に映出された映像から来客の顔等を確認し、送受話器３５が持ち上げられると、制御部３９は、自己アドレスを付加した伝送信号としてオフフック信号を、伝送線Ｌ１を介して複合盤１０に送信し、また、切換回路４４に切換出力を行い、通話回路３４を通話線Ｌ２に接続させる（Ｓ３３）。
【００５８】
伝送信号としてオフフック信号を受信した複合盤１０の監視制御部１１は、集合玄関機２０に上記と同様の通話制御信号を送信し、集合玄関機２０の図示しない通話回路をオンさせる（Ｓ１３）。これによって、集合玄関機２０の前に存在する来客と、３０１号室の居住者との間でインターホン通話が行われる。
【００５９】
通話が終わり、居住者が送受話器３５を戻してオンフック状態となると、３０１号室における住宅情報盤３０の制御部３９は、自己アドレスを付加した伝送信号としてオンフック信号を、伝送線Ｌ１を介して複合盤１０に送信し、また、通話切換回路４４への切換出力を停止して通話回路３４を通話線Ｌ２から切離し、同様に、映像切換制御回路４３を介して映像アダプタ７０への切換出力を停止して、映像回路４１を映像線Ｌ３から切離し、それぞれ元の状態へ復帰する（Ｓ３３）。
【００６０】
伝送信号としてオンフック信号を受信した複合盤１０の監視制御部１１は、集合玄関機２０に伝送信号として通話終了信号を送信し（Ｓ１３）、集合玄関機２０は、図示しない通話回路、映像回路、テレビカメラ等をオフして元の状態に復帰する。
【００６１】
なお、その他の場合のインターホン通話も、上記と同様の通話制御およびモニタ制御がなされる。
【００６２】
次に、この実施の形態におけるセキュリティ監視処理として、非常呼出スイッチ６４が操作された場合について説明する。
【００６３】
例えば、４０１号室で非常呼出スイッチ６４が作動すると、４０１号室の住宅情報盤３０において、警報受信回路３１が非常呼出スイッチ６４の作動信号を検出して制御部３９に入力させ（Ｓ３１）、制御部３９は、自己のアドレスを付加した伝送信号としての非常呼出信号を、伝送線Ｌ１を介して複合盤１０に送信する（Ｓ３９）。
【００６４】
この非常呼出信号を受信した複合盤１０の監視制御部１１は、伝送線Ｌ１を介して受信した伝送信号から、４０１号室からの非常呼出信号であることを判別し（Ｓ１４）、表示部１２の図示しない非常呼出の表示灯を点灯させ、また、４０１号室から非常呼出があったことを図示しないＬＣＤに文字表示し、さらに、スピーカ１６から警報音および非常呼出の旨の音声警報を出力する（Ｓ１５）。
【００６５】
この非常呼出の旨を複合盤１０から認識した共同住宅の管理員は、現場確認を行って、異常がない、あるいは異常が解消されたことを確認し、事態が平常化して複合盤１０の操作部１３への復旧入力により元の状態に戻す。
【００６６】
この管理員による現場確認の方法として、信号送出元の住戸へ赴くことが一番であるが、高層マンションのような場合に管理室から最上階等までは移動時間が長く、居住者からの連絡等でまずインターホン通話により状況が確認できることがある。
【００６７】
そこで、この実施の形態によるシステムでは、上記のように４０１号室からの非常呼出信号を受信した場合に、複合盤１０の表示部１２から管理員が非常呼出信号を認識し、４０１号室をインターホンで呼出すことができる。
【００６８】
ここで、複合盤１０が非常呼出信号を受信した時点では、４０１号室内に、住宅情報盤３０のスピーカ４０から警報音が鳴動中である。この状態では、複合盤１０から４０１号室の住宅情報盤３０に対してインターホン通話を行おうとしても、住宅情報盤３０において警報動作が優先されてしまう。
【００６９】
このとき、管理員は、複合盤１０の盤面からテンキー８２によって「４０１」を入力し、部屋番号表示部８１に「４０１」を表示させ、住戸音響停止スイッチ８６を押圧操作する。この操作によって、複合盤１０の監視制御部１１は、住戸音響停止操作が行われたことを判別し（Ｓ１１）、４０１号室のアドレスを付加して伝送信号としての住戸音響停止信号を伝送線Ｌ１に送信する（Ｓ２４）。
【００７０】
上記住戸音響停止信号を受信した４０１号室の住宅情報盤３０の制御部３９は、受信した通話制御信号から自己への住戸音響停止であることを判別して（Ｓ３１）、スピーカ４０からの警報音を停止する（Ｓ３９）。
【００７１】
そして、管理員は、上記住戸音響停止操作に引続き、緊急呼出操作を行う。すなわち、管理員は、複合盤１０の盤面からテンキー８２によって「４０１」を入力し、部屋番号表示部８１に「４０１」を表示させ、緊急呼出スイッチ８７を押圧操作する。この操作によって、複合盤１０の監視制御部１１は、緊急呼出操作が行われたことを判別し（Ｓ１１）、４０１号室のアドレスを付加して伝送線Ｌ１に緊急呼出信号を送信する（Ｓ２４）。
【００７２】
なお、この緊急呼出動作において、住戸音響停止操作に連続するときに、住戸音響停止動作時の部屋番号を特定の記憶手段に一時保存し、緊急呼出動作において一時保存した部屋番号を利用して緊急呼出動作を行ってもよく、部屋番号入力の手間を１回分減らすことができる。
【００７３】
上記緊急呼出信号を受信した各住宅情報盤３０の制御部３９は、インターホン通話が成立していても、通話切換回路４４への切換出力を停止し、通話回路３４を通話線Ｌ２から切離させる。また、映像回路４１を停止して映像切換制御回路４３を介して映像アダプタ７０へ切換出力を停止する。そして、緊急に呼出したい４０１号室の住宅情報盤３０の制御部３９は、受信した緊急呼出信号から自己への呼出しであることを判別して、スピーカ４０から呼出音を発生し、また、表示部３６に緊急呼出しを表示する（Ｓ３９）。
【００７４】
そして、４０１号室の居住者によって、緊急事態ながらも送受話器３５が持ち上げられると（Ｓ３１）、制御部３９は、自己アドレスを付加した伝送信号としてオフフック信号を、伝送線Ｌ１を介して複合盤１０に送信し、また、通話切換回路４４に切換出力を行い、通話回路３４を通話線Ｌ２に接続させる（Ｓ３３）。
【００７５】
伝送信号としてのオフフック信号を受信した複合盤１０の監視制御部１１は、通話回路１４をオンさせ、これによって、複合盤１０による管理員と、４０１号室の住宅情報盤３０による居住者との間でインターホン通話を行うことが可能となる。
【００７６】
このようにして、管理員が直接住戸の居住者とインターホン通話でき、状況が確認できれば、わざわざ非常呼出信号のあった住戸まで赴いて確認する必要はなくなる。
【００７７】
なお、この緊急呼出スイッチ８６による動作に住戸音響停止の動作を含めることもできる。すなわち、緊急呼出しの際に警報音が鳴動中の場合は多く、自己の部屋番号が指定された緊急呼出信号を受信した住宅情報盤３０が、上記のように警報音を停止し、その後にインターホン呼出音を鳴動させる動作を行うことにより、管理員の操作として、部屋番号のテンキー８２が１回で済み、２回入力する必要はなくなる。これは、緊急時において、迅速な操作でかつ誤入力の機会が削減されるという大きな効果がある。
【００７８】
つぎに、火災監視警報処理の動作について、例えば６０１号室で火災が発生した場合について説明する。
【００７９】
６０１号室の火災感知器６１が作動し、火災信号を出力すると、６０１号室の住宅情報盤３０の警報受信回路３１が火災信号を受信して（Ｓ３４）、制御部３９は、警報音響回路３３の図示しない音声合成回路を制御してスピーカ４０から「この住戸で火災感知器が作動しました」のような音声警報を発する（Ｓ３５）。
【００８０】
この住宅情報盤３０からの音声警報によって、６０１号室の居住者が住戸内を確認して、誤報または火災の初期消火ができれば住宅情報盤３０の図示しない復旧スイッチを操作して復旧操作を行えばよいが、初期消火が無理な火災の場合には住宅情報盤３０の図示しない火災確定スイッチを操作して火災確定入力を行い、制御部３９は、自己のアドレスを付加した伝送信号としての火災信号を、伝送線Ｌ１を介して複合盤１０へ送信する（Ｓ３５）。なお、６０１号室が不在等の火災確定入力がない場合であっても、制御部３９は、警報受信回路３１への火災感知器６１からの火災信号の入力から所定時間（例えば２分等）の経過によって、上記のように伝送信号としての火災信号を送信する。
【００８１】
伝送信号を受信した複合盤１０の監視制御部１１は、６０１号室からの火災信号であることを判別して（Ｓ１６）、表示部１２の図示しない火災の表示灯を点灯させ、また、６０１号室から火災があることを図示しないＬＣＤに文字表示し、さらに、スピーカ１６から警報音および火災の旨の音声警報を出力する（Ｓ１７）。
【００８２】
また、複合盤１０の監視制御部１１は、火災の発生した６０１号室と同一階である６階の各住戸の住宅情報盤３０およびその直上階である７階の各住戸の住宅情報盤３０に火災鳴動を行わせるため、フロア単位または個々の住宅情報盤３０をアドレス指定した伝送信号としての警報制御信号を、伝送線Ｌ１を介して送信する（Ｓ１７）。同時に、廊下等の共用部に制御装置６６として地区ベル装置が設けられている場合、信号制御線Ｌ６６を介して５階および７階の制御装置６６に鳴動出力する（Ｓ１７）。
【００８３】
これによって、６０１号室を除く６階および７階の各住戸の住宅情報盤３０において、制御部３９が警報制御してスピーカ４０から「６０１号室から火災が発生しました」等の火災警報を行う（Ｓ３９）。
【００８４】
そして、消防活動によって火災がなくなり、現状に復帰する際には、複合盤１０の操作部１３から図示しない火災復旧スイッチを操作するとともに、警報音を発している各住宅情報盤３０の操作部３７から図示しない火災復旧スイッチを操作する。これらによって、警報音を停止するとともに、警報の元となる非常事態を示す信号をクリアする。
【００８５】
上記のように、この実施の形態における動作として、複合盤１０の盤面において、テンキー８２から部屋番号を入力して部屋番号表示部８１に表示させ、住戸音響停止スイッチ８５の押圧操作によって、その部屋番号の警報音を停止できることが示されているが、異なる方式を取ることもできる。
【００８６】
なお、この実施の形態において、住戸音響停止信号を受信した住宅情報盤３０は、音響停止状態を保持するものでなく、新たに異常が発生した場合、後続の警報が必要なときに再鳴動が可能とされている。また、住宅情報盤３０に住戸音響停止信号をデータ保持して停止状態を維持するようにすることができるが、その場合は、複合盤１０に住戸音響停止解除スイッチを追加して、複合盤１０盤面から解除できるようにして、停止解除が自在にできることが好ましい。なお、停止状態の解除は住宅情報盤３０に操作入力で解除できればよいが、解除忘れがないように、住宅情報盤３０の制御部３９にタイマ機能を設けて所定時間（例えば５分）で解除するようにしてもよい。
【００８７】
まず第１の変形例として、複合盤１０の監視制御部１１では、セキュリティ監視機能を実現するため、伝送線Ｌ１を介して受信した伝送信号によって、どの部屋番号にどういった異常が発生しているかを認識し、図示しない記憶手段に情報として格納している。この図示しない記憶手段の情報を利用して、警報中の住戸の住宅情報盤３０に住戸音響停止信号を送出することができる。
【００８８】
すなわち、管理員が住戸音響停止スイッチ８６を押圧操作することで、その操作入力を検知した監視制御部１１が図示しない記憶手段の情報を読出し警報中の部屋番号を特定し、テンキー８２に部屋番号を入力しなくとも、部屋番号を特定した住戸音響停止信号を、伝送線Ｌ１に送出することができる。このとき、図示しない記憶手段に複数の情報がある場合、各々の情報からそれぞれ住戸音響停止信号を出力する。
【００８９】
また、第２の変形例として、部屋番号を特定しない住戸音響停止信号を出力することもできる。すなわち、管理員が住戸音響停止スイッチ８６を押圧操作することで、そのまま監視制御部１１が住戸音響停止信号を伝送線Ｌ１に送出し、非常呼出信号等を送出して警報中の住宅情報盤３０は、この住戸音響停止信号に基づいて自己が鳴動中にそれを停止する動作を行うものである。
【００９０】
これらの変形例においては、上記実施の形態に対して部屋番号を指定する手間がなく、管理員が簡便な操作で確実に住戸の警報音を停止できることになる。なお、当初の実施の形態においては、複数の住戸において警報音が鳴動中に、緊急呼出動作などによる対応を行う住戸の警報音は停止し、管理員が対処できない住戸については警報音の鳴動を継続させることができるという利点がある。そのため、異常状態の確認中は当初の実施の形態をベースとしながら、異常状態の解消後はいずれかの変形例を用いることができるように、選択的あるいは全てを組み合わせた実施の形態を用いることも効果的である。
【００９１】
なお、この実施の形態において、住戸音響停止信号を受信した住宅情報盤３０は、音響停止状態を保持するものでなく、後続の警報が必要な場合に、再鳴動が可能とされている。
【００９２】
上記各実施の形態において、複合盤１０の住戸音響停止スイッチ８６は、警報音停止スイッチの一例であり、テンキー８２は、部屋番号を指定する手段の一例である。なお、本発明の複合盤は、必ずしも実施の形態における複合盤１０の機能を全て備えている必要はなく、例えばモニタ機能は必須でなく、操作制御盤として従来の管理室機および伝送制御の機能を備えていればよい。
【００９３】
以上のように、本発明は、少なくとも複合盤と複数の住宅情報盤とを有する共同住宅警報監視システムにおいて、前記複合盤は、前記住宅情報盤が警報を発しているときに、該警報音を停止させる警報音停止スイッチを備えているので、管理員等が対処しようとするときに、警報音を停止させることが可能であり、住戸に対する肉声の呼掛けやインターホンでの呼出動作を可能とする。さらには、複合盤と複数の住宅情報盤とが一対の伝送線で接続されており、前記複合盤は、警報音停止スイッチの操作入力があるときに、前記伝送線を介して部屋番号を指定した警報音停止信号を送出し、指定された部屋番号の住宅情報盤は、前記伝送線から前記警報音停止信号を受信するときに、警報音の鳴動を停止するものであり、複合盤からの操作によって必要な住戸の住宅情報盤の警報音を停止することが可能である。
【００９４】
そして、部屋番号の指定には、複合盤がセキュリティ監視機能に基づく作動信号を受信している送信元の部屋番号を利用することで、手入力の手間を省くことができ、また、複合盤盤面からの操作入力による部屋番号とするときには、対処しようとする住戸を指定できる。また、各住宅情報盤は、警報音の鳴動中には、前記警報音停止信号の受信後においてインターホン機能の呼出信号を受信するときに、呼出動作を行うことで、部屋番号入力を再度行う必要はない。
【図面の簡単な説明】
【図１】本発明の実施の形態の一例を示すシステム系統図。
【図２】図１の複合盤を示すブロック構成図。
【図３】図１の住宅情報盤を示すブロック構成図。
【図４】図１の複合盤盤面の一部を示す外観図。
【図５】図１の複合盤の動作を示すフローチャート。
【図６】図１の住宅情報盤の動作を示すフローチャート。
【符号の説明】
１０    複合盤
１１    監視制御部
１３    操作部
３０    住宅情報盤
３９    制御部
４０    スピーカ
８２    テンキー
８６    住戸音響停止スイッチ
Ｌ１    伝送線
【図１】
2004171385.tif 000003
【図２】
2004171385.tif 000004
【図３】
2004171385.tif 000005
【図４】
2004171385.tif 000006
【図５】
2004171385.tif 000007
【図６】
2004171385.tif 000008